(57)【要約】【課題】温度センサの設置スペースの削減を図りつつ異常発熱を検出する。【解決手段】モータ駆動装置１０は、ヒートシンク３０と、ヒートシンク３０に設けられ、交流電源から供給される交流電圧を直流電圧に整流する整流器１２と、ヒートシンク３０に設けられ、整流器１２で整流された直流電圧を平滑化する平滑コンデンサを充電するために用いられる充電抵抗２２と、充電抵抗２２に設けられる温度センサ２６と、を備える。【選択図】図２
2019187002.tif 000002
【特許請求の範囲】
【請求項１】
モータを駆動するモータ駆動装置であって、
ヒートシンクと、
前記ヒートシンクに設けられ、交流電源から供給される交流電圧を直流電圧に整流する整流器と、
前記整流器で整流された直流電圧を平滑化する平滑コンデンサと、
前記ヒートシンクに設けられ、前記モータの駆動開始前の初期充電期間に前記平滑コンデンサを充電するために用いられる充電抵抗と、
前記充電抵抗に設けられる温度センサと、
を備えるモータ駆動装置。
【請求項２】
請求項１に記載のモータ駆動装置であって、
前記初期充電期間を経過した以降に前記温度センサで検出される温度が第１の閾値以上である場合に、前記整流器および前記充電抵抗の少なくとも一方が異常発熱であると判断して、前記整流器への前記交流電圧の入力を停止させる制御部と、
異常発熱である旨を報知する報知部と、
を備えるモータ駆動装置。
【請求項３】
請求項２に記載のモータ駆動装置であって、
前記交流電源から前記整流器に入力される入力電力を検出する入力電力検出部を備え、
前記制御部は、前記温度が第１の閾値以上であり、前記入力電力が第２の閾値未満である場合に、前記充電抵抗が異常発熱であると判断し、
前記報知部は、前記充電抵抗が異常発熱である旨を報知する、モータ駆動装置。
【請求項４】
請求項３に記載のモータ駆動装置であって、
前記平滑コンデンサのコンデンサ電圧を検出するコンデンサ電圧検出部を備え、
前記制御部は、前記温度が第１の閾値以上であり、前記入力電力が第２の閾値以上であり、前記コンデンサ電圧が第３の閾値以上である場合に、前記整流器が異常発熱であると判断し、
前記報知部は、前記整流器が異常発熱である旨を報知する、モータ駆動装置。
【請求項５】
請求項４に記載のモータ駆動装置であって、
前記制御部は、前記温度が第１の閾値以上であり、前記入力電力が第２の閾値以上であり、前記コンデンサ電圧が第３の閾値未満である場合に、前記コンデンサ電圧が低下していると判断し、
前記報知部は、前記コンデンサ電圧が低下している旨を報知する、モータ駆動装置。
【請求項６】
請求項２〜５のいずれか１項に記載のモータ駆動装置であって、
前記交流電源と前記整流器との間に設けられる電源供給用スイッチを備え、
前記制御部は、前記電源供給用スイッチを開いた状態にすることで、前記整流器への前記交流電圧の入力を停止させる、モータ駆動装置。
【請求項７】
請求項２〜６のいずれか１項に記載のモータ駆動装置であって、
前記充電抵抗に並列に接続される充電用スイッチを備え、
前記制御部は、前記初期充電期間では前記充電用スイッチを開いた状態にし、前記初期充電期間を経過した以降に前記充電用スイッチを閉じた状態にする、モータ駆動装置。
【請求項８】
モータを駆動するモータ駆動装置の異常発熱検出方法であって、
前記モータ駆動装置は、
ヒートシンクと、
前記ヒートシンクに設けられ、交流電源から供給される交流電圧を直流電圧に整流する整流器と、
前記整流器で整流された直流電圧を平滑化する平滑コンデンサと、
前記ヒートシンクに設けられ、前記モータの駆動開始前の初期充電期間に前記平滑コンデンサを充電するために用いられる充電抵抗と、
前記充電抵抗に設けられる温度センサと、
を有し、
前記初期充電期間を経過した以降に前記温度センサで検出される温度が第１の閾値以上である場合に、前記整流器への前記交流電圧の入力を停止させる第１のステップと、
異常発熱である旨を報知する第２のステップと、
を含むモータ駆動装置の異常発熱検出方法。
【請求項９】
請求項８に記載のモータ駆動装置の異常発熱検出方法であって、
前記第１のステップは、前記温度が第１の閾値以上であり、前記交流電源から前記整流器に入力される入力電力が第２の閾値未満である場合に、前記充電抵抗が異常発熱であると判断し、
前記第２のステップは、前記充電抵抗が異常発熱である旨を報知する、モータ駆動装置の異常発熱検出方法。
【請求項１０】
請求項９に記載のモータ駆動装置の異常発熱検出方法であって、
前記第１のステップは、前記温度が第１の閾値以上であり、前記入力電力が第２の閾値以上であり、前記平滑コンデンサのコンデンサ電圧が第３の閾値以上である場合に、前記整流器が異常発熱であると判断し、
前記第２のステップは、前記整流器が異常発熱である旨を報知する、モータ駆動装置の異常発熱検出方法。
【請求項１１】
請求項１０に記載のモータ駆動装置の異常発熱検出方法であって、
前記第１のステップは、前記温度が第１の閾値以上であり、前記入力電力が第２の閾値以上であり、前記コンデンサ電圧が第３の閾値未満である場合に、前記コンデンサ電圧が低下していると判断し、
前記第２のステップは、前記コンデンサ電圧が低下している旨を報知する、モータ駆動装置の異常発熱検出方法。
【発明の詳細な説明】
【技術分野】
【０００１】
本発明は、モータを駆動するモータ駆動装置およびモータ駆動装置の異常発熱検出方法に関する。
【背景技術】
【０００２】
モータ駆動装置では、交流電源から供給される交流電圧を直流電圧に変換する整流器などの発熱部品が設けられており、当該発熱部品が異常発熱により焼損することを防ぐ対策が講じられている。
【０００３】
例えば、下記の特許文献１には、ＩＧＢＴモジュール内に設けられる温度センサの単位時間当たりの温度変化量に基づいて、ＩＧＢＴモジュールに大電流が流れないようモータのトルクを制御することで、異常発熱による焼損を防ぐ保護装置が開示されている。
【先行技術文献】
【特許文献】
【０００４】
【特許文献１】特開２０１３−２０７８１２号公報
【発明の概要】
【発明が解決しようとする課題】
【０００５】
ところが、モータ駆動装置には、ＩＧＢＴモジュール以外にも複数の発熱部品があり、各々の発熱部品に１つずつ温度センサを設けて異常発熱を検出しようとすると、温度センサの数が増えて設置スペースが増大することが懸念される。
【０００６】
そこで、本発明は、温度センサの設置スペースの削減を図りつつ異常発熱を検出し得るモータ駆動装置およびモータ駆動装置の異常発熱検出方法を提供することを目的とする。
【課題を解決するための手段】
【０００７】
本発明の第１の態様は、モータを駆動するモータ駆動装置であって、ヒートシンクと、前記ヒートシンクに設けられ、交流電源から供給される交流電圧を直流電圧に整流する整流器と、前記整流器で整流された直流電圧を平滑化する平滑コンデンサと、前記ヒートシンクに設けられ、前記モータの駆動開始前の初期充電期間に前記平滑コンデンサを充電するために用いられる充電抵抗と、前記充電抵抗に設けられる温度センサと、を備える。
【０００８】
本発明の第２の態様は、モータを駆動するモータ駆動装置の異常発熱検出方法であって、前記モータ駆動装置は、ヒートシンクと、前記ヒートシンクに設けられ、交流電源から供給される交流電圧を直流電圧に整流する整流器と、前記整流器で整流された直流電圧を平滑化する平滑コンデンサと、前記ヒートシンクに設けられ、前記モータの駆動開始前の初期充電期間に前記平滑コンデンサを充電するために用いられる充電抵抗と、前記充電抵抗に設けられる温度センサとを有し、前記初期充電期間を経過した以降に前記温度センサで検出される温度が第１の閾値以上である場合に、前記整流器への前記交流電圧の入力を停止させる第１のステップと、異常発熱である旨を報知する第２のステップと、を含む。
【発明の効果】
【０００９】
本発明では、充電抵抗と整流器とがヒートシンクにそれぞれ設けられ、その充電抵抗に設けられる温度センサを用いて整流器および充電抵抗の双方の異常発熱を検出することが可能となる。このため、整流器および充電抵抗のそれぞれに温度センサが設けられる場合に比べて、温度センサのセンサ数を抑えて設置スペースを削減することができる。また、初期充電期間以降にも使用される整流器に比べて使用期間が短く整流器に比べて発熱し難い充電抵抗に温度センサが設けられる。このため、温度センサの耐久性を向上させ得る設置スペースを確保し易い。したがって、本発明によれば、温度センサの設置スペースの削減を図りつつ異常発熱を検出することができる。
【図面の簡単な説明】
【００１０】
【図１】実施の形態におけるモータ駆動装置の構成を示す模式図である。
【図２】図１の整流器および充電抵抗がヒートシンクに配置される様子を示す概略図である。
【図３】図１のモータ駆動装置の異常発熱検出方法に関する制御部の処理手順を示すフローチャートである。
【発明を実施するための形態】
【００１１】
本発明に係るモータ駆動装置について、好適な実施の形態を掲げ、添付の図面を参照しながら以下、詳細に説明する。
【００１２】
〔実施の形態〕
図１は、実施の形態におけるモータ駆動装置１０の構成を示す模式図である。モータ駆動装置１０は、交流電源Ｐから供給される交流電圧に基づいて、モータＭを駆動させる。なお、本実施の形態では、交流電源Ｐは、三相交流電源である。
【００１３】
モータ駆動装置１０は、整流器１２、平滑コンデンサ１４、逆変換器１６および初期充電部１８を有する。整流器１２は、交流電源Ｐから供給される交流電圧を直流電圧に変換する。
【００１４】
整流器１２として、例えば、ダイオード整流回路、あるいは、半導体スイッチング素子のブリッジ回路を有する整流回路などが挙げられる。半導体スイッチング素子として、例えば、ＩＧＢＴ、パワーＭＯＳＦＥＴ、バイポーラトランジスタ、または、サイリスタなどが挙げられる。
【００１５】
平滑コンデンサ１４は、整流器１２で変換された直流電圧を平滑化する。逆変換器１６は、平滑コンデンサ１４のコンデンサ電圧を、モータＭを駆動するための交流電圧に変換し、変換した交流電圧をモータＭに出力する。
【００１６】
初期充電部１８は、整流器１２への交流電圧の入力が開始されてからモータＭの駆動が開始される前までの初期充電期間に平滑コンデンサ１４を充電するためのものであり、整流器１２と平滑コンデンサ１４との間に設けられる。
【００１７】
この初期充電部１８は、充電抵抗２２と、充電抵抗２２に対して並列接続される充電用スイッチ２４とを有する。
【００１８】
充電抵抗２２は、初期充電期間に平滑コンデンサ１４を充電するために用いられる抵抗であり、この充電抵抗２２には温度センサ２６が内蔵される。充電用スイッチ２４は、初期充電期間では開いた状態にされ、初期充電期間以外には閉じた状態にされる。
【００１９】
充電用スイッチ２４が開いた状態にされる初期充電期間中、初期充電部１８では、整流器１２から供給される直流電流は充電抵抗２２を通じて平滑コンデンサ１４に流れ込み、平滑コンデンサ１４が充電される。平滑コンデンサ１４のコンデンサ電圧が所定値になるまで充電されると、充電用スイッチ２４が閉じた状態にされて初期充電動作が完了する。充電用スイッチ２４が閉じた状態では、整流器１２から供給される直流電流は、充電抵抗２２を通らずに、充電用スイッチ２４を通る。
【００２０】
また、初期充電部１８は、上記のように、初期充電期間中に整流器１２から供給される直流電流を充電抵抗２２を通じて平滑コンデンサ１４に流すため、過大な突入電流が平滑コンデンサ１４に流れることを抑制することができる。
【００２１】
図２に示すように、整流器１２および充電抵抗２２は、ヒートシンク３０に設けられる。このヒートシンク３０において整流器１２および充電抵抗２２が設けられる側が吸熱面側であり、この吸熱面側とは反対の放熱面側には多数の放熱フィン３０ａが設けられる。なお、ヒートシンク３０に設けられる整流器１２および充電抵抗２２の上側には、回路基板ＢＤが配置される。この回路基板ＢＤには平滑コンデンサ１４などが実装される。ただし、図２では平滑コンデンサ１４は図示されていない。
【００２２】
上記のように、充電抵抗２２には温度センサ２６が設けられているため、その温度センサ２６を用いてヒートシンク３０上の整流器１２および充電抵抗２２の双方の異常発熱を検出することが可能となる。このため、整流器１２および充電抵抗２２のそれぞれに温度センサ２６が設けられる場合に比べて、温度センサ２６のセンサ数を抑えて設置スペースを削減することができる。
【００２３】
また、温度センサ２６は、初期充電期間以降にも使用される整流器１２に比べて使用期間が短く整流器１２に比べて発熱し難い充電抵抗２２に設けられる。このため、温度センサ２６の耐久性を向上させ得る設置スペースを確保し易い。
【００２４】
図１の説明に戻り、モータ駆動装置１０は、電源供給用スイッチ３２、入力電力検出部３４、コンデンサ電圧検出部３６、制御部３８および報知部４０を有する。
【００２５】
電源供給用スイッチ３２は、交流電源Ｐと整流器１２との間に設けられる。本実施の形態では、交流電源Ｐが三相交流電源であるため、電源供給用スイッチ３２は、相ごとに設けられる。電源供給用スイッチ３２が閉じた状態の場合、交流電源Ｐから供給される交流電圧は整流器１２に入力される。一方、電源供給用スイッチ３２が開いた状態の場合、交流電源Ｐから供給される交流電圧が整流器１２に入力されない。
【００２６】
入力電力検出部３４は、交流電源Ｐから整流器１２に入力される入力電力を検出するためのものであり、入力電圧検出部３４Ａと入力電流検出部３４Ｂとを有する。入力電圧検出部３４Ａは、交流電源Ｐから整流器１２に入力される入力電圧を検出する。本実施の形態では、交流電源Ｐが三相交流電源であるため、入力電圧検出部３４Ａは、相ごとに入力電圧を検出する。入力電圧検出部３４Ａは、検出した入力電圧を制御部３８に出力する。
【００２７】
入力電流検出部３４Ｂは、交流電源Ｐから整流器１２に入力される入力電流を検出する。本実施の形態では、交流電源Ｐが三相交流電源であるため、入力電流検出部３４Ｂは、相ごとに入力電流を検出する。入力電流検出部３４Ｂは、検出した入力電流を制御部３８に出力する。
【００２８】
コンデンサ電圧検出部３６は、平滑コンデンサ１４のコンデンサ電圧を検出し、検出したコンデンサ電圧を制御部３８に出力する。
【００２９】
制御部３８は、図示しない入力部から与えられる電源投入指令に応じて、電源供給用スイッチ３２を閉じた状態に制御することで、整流器１２に対して交流電圧の入力を開始させる。制御部３８は、交流電圧の入力を開始させてから所定の初期充電期間を経過するまで初期充電部１８の充電用スイッチ２４を開いた状態に制御することで平滑コンデンサ１４を充電させる。制御部３８は、初期充電期間が経過すると、初期充電部１８の充電用スイッチ２４を閉じた状態で維持させる。
【００３０】
制御部３８は、初期充電期間を経過した以降に、温度センサ２６で検出される温度に基づいて、整流器１２および充電抵抗２２の発熱状態を監視する。具体的には、制御部３８は、温度センサ２６で検出される温度と第１の閾値とを比較することで、発熱状態を監視する。
【００３１】
ここで、温度センサ２６で検出される温度が第１の閾値以上である場合、制御部３８は、整流器１２および充電抵抗２２の少なくとも一方が異常発熱したと判断し、電源供給用スイッチ３２を開いた状態にして、整流器１２への交流電圧の入力を停止させる。
【００３２】
しかしながら、温度センサ２６で検出される温度だけでは、ヒートシンク３０上に配置される整流器１２および充電抵抗２２のどちらが異常発熱しているかが分からない。そこで、本実施の形態では、制御部３８は、温度センサ２６、入力電力検出部３４およびコンデンサ電圧検出部３６の検出結果に基づいて、整流器１２および充電抵抗２２のいずれが異常発熱であるか判断する。
【００３３】
具体的には、温度センサ２６で検出される温度が第１の閾値以上であり、入力電力検出部３４で検出される入力電圧および入力電流から計算される入力電力が第２の閾値未満である場合に、制御部３８は、充電抵抗２２が異常発熱であると判断する。
【００３４】
また、温度センサ２６で検出される温度が第１の閾値以上であり、上記の入力電力が第２の閾値以上であり、コンデンサ電圧検出部３６で検出されるコンデンサ電圧が第３の閾値以上である場合に、制御部３８は、整流器１２が異常発熱であると判断する。
【００３５】
なお、温度センサ２６で検出される温度が第１の閾値以上であり、上記の入力電力が第２の閾値以上であり、コンデンサ電圧検出部３６で検出されるコンデンサ電圧が第３の閾値未満である場合、制御部３８は、コンデンサ電圧が低下していると判断する。
【００３６】
このように制御部３８は、整流器１２に温度センサ２６がなくても、充電抵抗２２に内蔵される温度センサ２６を用いて、整流器１２および充電抵抗２２のいずれが異常発熱であるか判断し得る。
【００３７】
制御部３８は、整流器１２および充電抵抗２２のいずれかが異常発熱であると判断した場合、報知指令を生成し、生成した報知指令を報知部４０に与える。また、制御部３８は、コンデンサ電圧が低下していると判断した場合、報知指令を生成し、生成した報知指令を報知部４０に与える。
【００３８】
報知部４０は、報知指令に基づいて、制御部３８によって異常発熱であると判断された旨を報知する。すなわち、制御部３８によって整流器１２が異常発熱であると判断された場合、報知部４０は、整流器１２が異常発熱である旨を報知する。また、制御部３８によって充電抵抗２２が異常発熱であると判断された場合、報知部４０は、充電抵抗２２が異常発熱である旨を報知する。また、制御部３８によってコンデンサ電圧が低下していると判断された場合、報知部４０は、コンデンサ電圧が低下している旨を報知する。
【００３９】
なお、報知部４０の具体的な報知手法としては、例えば、表示部に表示させる表示手法、音響発生器から警告音を発生させる音発生手法、警告灯などの灯具から光を発生させる光発生手法などが挙げられる。なお、２以上の報知手法が用いられてもよい。
【００４０】
次に、モータ駆動装置１０の異常発熱検出方法について説明する。図３は、モータ駆動装置１０の異常発熱検出方法に関する制御部３８の処理手順を示すフローチャートである。
【００４１】
制御部３８は、初期充電期間を経過すると、ステップＳ１において、温度センサ２６で検出される温度と第１の閾値とを比較する。ここで、温度センサ２６で検出される温度が第１の閾値未満である場合、制御部３８は、異常発熱が生じていないと判断し、上記の比較を所定時間間隔で繰り返す。
【００４２】
これに対し、温度センサ２６で検出される温度が第１の閾値以上である場合、制御部３８は、整流器１２および充電抵抗２２の少なくとも一方が異常発熱したと判断し、ステップＳ２に進む。制御部３８は、ステップＳ２において、電源供給用スイッチ３２を開いた状態にして整流器１２への交流電圧の入力を停止させ、ステップＳ３に進む。
【００４３】
制御部３８は、ステップＳ３において、入力電力検出部３４で検出される入力電圧および入力電流から入力電力を計算し、計算した入力電圧と第２の閾値とを比較する。ここで、入力電圧が第２の閾値未満である場合、制御部３８は、充電抵抗２２が異常発熱であると判断し、ステップＳ４に進んで、その旨を報知部４０に報知させる。
【００４４】
これに対し、入力電圧が第２の閾値以上である場合、制御部３８は、整流器１２および充電抵抗２２のどちらが異常発熱であるかが未だ判断できないため、ステップＳ５に進んで、コンデンサ電圧検出部３６で検出されるコンデンサ電圧と第３の閾値とを比較する。
【００４５】
ここで、コンデンサ電圧が第３の閾値以上である場合、制御部３８は、整流器１２が異常発熱であると判断し、ステップＳ６に進んで、その旨を報知部４０に報知させる。一方、コンデンサ電圧が第３の閾値未満である場合、制御部３８は、コンデンサ電圧が低下していると判断し、ステップＳ７に進んで、その旨を報知部４０に報知させる。
【００４６】
〔変形例〕
以上、本発明の一例として上記実施の形態が説明されたが、本発明の技術的範囲は上記実施の形態に記載の範囲には限定されない。上記実施の形態に、多様な変更または改良を加えることが可能であることはもちろんである。その様な変更または改良を加えた形態も本発明の技術的範囲に含まれ得ることが、特許請求の範囲の記載から明らかである。
【００４７】
例えば、上記実施の形態では、温度センサ２６が充電抵抗２２に内蔵されたが、例えば、充電抵抗２２の表面上に取り付けられていてもよい。つまり、温度センサ２６は、充電抵抗２２に設けられていればよい。なお、温度センサ２６が充電抵抗２２に内蔵されている場合、外部の塵芥などが温度センサ２６と接触することが抑制される。したがって、加工対象物を切削する工作機器などにモータ駆動装置１０が用いられても、温度センサ２６は、切削液や切削片などの影響を受けにくく、安定して温度を検出できる。
【００４８】
また、上記実施の形態では、充電用スイッチ２４としてサイリスタが適用されているが、サイリスタ以外の半導体スイッチング素子が適用されてもよく、メカニカルスイッチが適用されてもよい。つまり、充電用スイッチ２４の具体的な種類は特に限定されない。電源供給用スイッチ３２についても同様に、具体的な種類は特に限定されない。
【００４９】
また、上記実施の形態では、１つのモータＭが設けられたが、複数のモータＭが設けられてもよい。複数のモータＭが設けられる場合、そのモータ数に対応する数の逆変換器１６の各々が並列接続された状態で、整流器１２の後段に設けられる。
【００５０】
なお、初期充電部１８および平滑コンデンサ１４は、各々の逆変換器１６に共通とされる。ただし、平滑コンデンサ１４は、各々の逆変換器１６と整流器１２との間にそれぞれ設けられていてもよい。この場合、各々の平滑コンデンサ１４に対してコンデンサ電圧検出部３６がそれぞれ設けられる。
【００５１】
〔技術的思想〕
上記実施の形態および変形例から把握し得る技術的思想について、以下に記載する。
【００５２】
モータ駆動装置（１０）は、モータ（Ｍ）を駆動する装置である。このモータ駆動装置（１０）は、ヒートシンク（３０）と、ヒートシンク（３０）に設けられ、交流電源（Ｐ）から供給される交流電圧を直流電圧に整流する整流器（１２）と、整流器（１２）で整流された直流電圧を平滑化する平滑コンデンサ（１４）と、ヒートシンク（３０）に設けられ、モータ（Ｍ）の駆動開始前の初期充電期間に平滑コンデンサ（１４）を充電するために用いられる充電抵抗（２２）と、充電抵抗（２２）に設けられる温度センサ（２６）と、を備える。
【００５３】
このモータ駆動装置（１０）では、整流器（１２）と充電抵抗（２２）とがヒートシンク（３０）にそれぞれ設けられ、その充電抵抗（２２）に設けられる温度センサ（２６）を用いて整流器（１２）および充電抵抗（２２）の双方の異常発熱を検出することが可能となる。このため、整流器（１２）および充電抵抗（２２）のそれぞれに温度センサ（２６）が設けられる場合に比べて、温度センサ（２６）のセンサ数を抑えることができる。また、初期充電期間以降にも使用される整流器（１２）に比べて使用期間が短く整流器（１２）に比べて発熱し難い充電抵抗（２２）に温度センサ（２６）が設けられる。このため、温度センサ（２６）の設置スペースの制約を受けにくいので、温度センサ（２６）の設置自由度を向上することができる。したがって、温度センサ（２６）の設置スペースの削減を図りつつ異常発熱を検出することができる。
【００５４】
モータ駆動装置（１０）は、初期充電期間を経過した以降に温度センサ（２６）で検出される温度が第１の閾値以上である場合に、整流器（１２）および充電抵抗（２２）の少なくとも一方が異常発熱であると判断して、整流器（１２）への交流電圧の入力を停止させる制御部（３８）と、異常発熱である旨を報知する報知部（４０）と、を備えるようにしてもよい。このようにすれば、異常発熱が継続することを回避しつつ、その異常発熱の要因を特定する機会をオペレータに与えることができる。
【００５５】
モータ駆動装置（１０）は、交流電源（Ｐ）から整流器（１２）に入力される入力電力を検出するための入力電力検出部（３４）を備え、制御部（３８）は、温度が第１の閾値以上であり、入力電力が第２の閾値未満である場合に、充電抵抗（２２）が異常発熱であると判断し、報知部（４０）は、充電抵抗（２２）が異常発熱である旨を報知するようにしてもよい。このようにすれば、充電抵抗（２２）に設けられる温度センサ（２６）を用いて、ヒートシンク（３０）に設けられる整流器（１２）および充電抵抗（２２）のうちの充電抵抗（２２）が異常発熱であることを正しく検出し、その旨を報知することができる。
【００５６】
モータ駆動装置（１０）は、平滑コンデンサ（１４）のコンデンサ電圧を検出するコンデンサ電圧検出部（３６）を備え、制御部（３８）は、温度が第１の閾値以上であり、入力電力が第２の閾値以上であり、コンデンサ電圧が第３の閾値以上である場合に、整流器（１２）が異常発熱であると判断し、報知部（４０）は、整流器（１２）が異常発熱である旨を報知するようにしてもよい。このようにすれば、充電抵抗（２２）に設けられる温度センサ（２６）を用いて、ヒートシンク（３０）に設けられる整流器（１２）および充電抵抗（２２）のうちの整流器（１２）が異常発熱であることを正しく検出し、その旨を報知することができる。
【００５７】
制御部（３８）は、温度が第１の閾値以上であり、入力電力が第２の閾値以上であり、コンデンサ電圧が第３の閾値未満である場合に、コンデンサ電圧が低下していると判断し、報知部（４０）は、コンデンサ電圧が低下している旨を報知するようにしてもよい。このようにすれば、充電抵抗（２２）に設けられる温度センサ（２６）を用いて、コンデンサ電圧が低下していることを正しく検出し、その旨を報知することができる。
【００５８】
モータ駆動装置（１０）は、交流電源（Ｐ）と整流器（１２）との間に設けられる電源供給用スイッチ（３２）を備え、制御部（３８）は、電源供給用スイッチ（３２）を開いた状態にすることで、整流器（１２）への交流電圧の入力を停止させるようにしてもよい。
【００５９】
モータ駆動装置（１０）は、充電抵抗（２２）に並列に接続される充電用スイッチ（２４）を備え、制御部（３８）は、初期充電期間では充電用スイッチ（２４）を開いた状態にし、初期充電期間を経過した以降に充電用スイッチ（２４）を閉じた状態にするようにしてもよい。
【００６０】
異常発熱検出方法は、モータ（Ｍ）を駆動するモータ駆動装置（１０）の異常発熱検出方法である。モータ駆動装置（１０）は、ヒートシンク（３０）と、ヒートシンク（３０）に設けられ、交流電源（Ｐ）から供給される交流電圧を直流電圧に整流する整流器（１２）と、整流器（１２）で整流された直流電圧を平滑化する平滑コンデンサ（１４）と、ヒートシンク（３０）に設けられ、モータ（Ｍ）の駆動開始前の初期充電期間に平滑コンデンサ（１４）を充電するために用いられる充電抵抗（２２）と、充電抵抗（２２）に設けられる温度センサ（２６）と、を有する。異常発熱検出方法は、初期充電期間を経過した以降に温度センサ（２６）で検出される温度が第１の閾値以上である場合に、整流器（１２）への交流電圧の入力を停止させる第１のステップと、異常発熱である旨を報知する第２のステップと、を含む。
【００６１】
この異常発熱検出方法では、整流器（１２）と充電抵抗（２２）とがヒートシンク（３０）にそれぞれ設けられ、その充電抵抗（２２）に設けられる温度センサ（２６）を用いて整流器（１２）および充電抵抗（２２）の双方の異常発熱を検出することが可能となる。このため、整流器（１２）および充電抵抗（２２）のそれぞれに温度センサ（２６）が設けられる場合に比べて、温度センサ（２６）のセンサ数を抑えることができる。また、初期充電期間以降にも使用される整流器（１２）に比べて使用期間が短く整流器（１２）に比べて発熱し難い充電抵抗（２２）に温度センサ（２６）が設けられる。このため、温度センサ（２６）の設置スペースの制約を受けにくいので、温度センサ（２６）の設置自由度を向上することができる。したがって、温度センサ（２６）の設置スペースの削減を図りつつ異常発熱を検出することができる。
【００６２】
第１のステップは、温度が第１の閾値以上であり、交流電源（Ｐ）から整流器（１２）に入力される入力電力が第２の閾値未満である場合に、充電抵抗（２２）が異常発熱であると判断し、第２のステップは、充電抵抗（２２）が異常発熱である旨を報知するようにしてもよい。このようにすれば、充電抵抗（２２）に設けられる温度センサ（２６）を用いて、ヒートシンク（３０）に設けられる整流器（１２）および充電抵抗（２２）のうちの充電抵抗（２２）が異常発熱であることを正しく検出し、その旨を報知することができる。
【００６３】
第１のステップは、温度が第１の閾値以上であり、入力電力が第２の閾値以上であり、平滑コンデンサ（１４）のコンデンサ電圧が第３の閾値以上である場合に、整流器（１２）が異常発熱であると判断し、第２のステップは、整流器（１２）が異常発熱である旨を報知するようにしてもよい。このようにすれば、充電抵抗（２２）に設けられる温度センサ（２６）を用いて、ヒートシンク（３０）に設けられる整流器（１２）および充電抵抗（２２）のうちの整流器（１２）が異常発熱であることを正しく検出し、その旨を報知することができる。
【００６４】
第１のステップは、温度が第１の閾値以上であり、入力電力が第２の閾値以上であり、コンデンサ電圧が第３の閾値未満である場合に、コンデンサ電圧が低下していると判断し、第２のステップは、コンデンサ電圧が低下している旨を報知するようにしてもよい。このようにすれば、充電抵抗（２２）に設けられる温度センサ（２６）を用いて、コンデンサ電圧が低下していることを正しく検出し、その旨を報知することができる。
【符号の説明】
【００６５】
１０…モータ駆動装置                    １２…整流器
１４…平滑コンデンサ                    １６…逆変換器
１８…初期充電部                        ２２…充電抵抗
２４…充電用スイッチ                    ２６…温度センサ
３０…ヒートシンク                      ３２…電源供給用スイッチ
３４…入力電力検出部                    ３６…コンデンサ電圧検出部
３８…制御部                            ４０…報知部
【図１】
2019187002.tif 000003
【図２】
2019187002.tif 000004
【図３】
2019187002.tif 000005